(57)【要約】【課題】棒材供給機の開閉カバーを左右両側から開閉可能にする。【解決手段】棒材供給機の上部を給材方向（ａ）に沿って覆う開閉カバー（１２）において、開閉カバーが主カバー（１３）と、主カバーに設けられた開口部（１４）を覆う副カバー（１５）とを含んでおり、上記主カバーの給材方向（ａ）に沿った一方の側縁が第一の枢支部（１８）を介して棒材供給機のフレーム（１６）に連結され、上記副カバーの給材方向（ａ）に沿った一方の側縁が第二の枢支部（２３）を介して上記主カバーに連結される。主カバーを開けることにより棒材供給機の上部に大きい開口部を形成し、主カバーを閉じた状態で副カバーを開けることにより、主カバーの一部に開口部を形成することができ、主カバーを開けると共に副カバーを開けることにより、棒材供給機の上部により大きい開口部を形成することができる。【選択図】図５
2007125639.tif 000002
【特許請求の範囲】
【請求項１】
棒材供給機の上部を給材方向に沿って覆う開閉カバーにおいて、開閉カバーが主カバーと、主カバーに設けられた開口部を覆う副カバーとを含んでおり、上記主カバーの給材方向に沿った一方の側縁が第一の枢支部を介して棒材供給機のフレームに連結され、上記副カバーの給材方向に沿った一方の側縁が第二の枢支部を介して上記主カバーに連結されたことを特徴とする棒材供給機の開閉カバー。
【請求項２】
請求項１に記載の棒材供給機の開閉カバーにおいて、上記開口部が主カバーにおける第一の枢支部寄りの箇所に形成され、上記第二の枢支部が上記開口部における上記第一の枢支部と反対側に設けられたことを特徴とする棒材供給機の開閉カバー。
【請求項３】
請求項１又は請求項に記載の棒材供給機の開閉カバーにおいて、主カバーが開閉用アクチュエータを介して上記フレームに連結され、副カバーが開閉用アクチュエータを介して主カバーに連結されたことを特徴とする棒材供給機の開閉カバー。
【請求項４】
請求項３に記載の棒材供給機の開閉カバーにおいて、開閉用アクチュエータが流体ダンパ装置であることを特徴とする棒材供給機の開閉カバー。
【発明の詳細な説明】
【技術分野】
【０００１】
本発明は、棒材供給機の開閉カバーに関する。
【背景技術】
【０００２】
棒材供給機は、棒材をその先端から旋盤等の加工機に送り、加工機が棒材の先端部分を加工する間棒材の後部を支持するための装置であり、その上部は給材方向に沿って延びる開閉カバーにより覆われている。
【０００３】
図６に示す開閉カバー１は、棒材供給機のフレームの給材方向ａ（図１参照）に沿った片側にヒンジ２を介して連結される。図６中、符号Ａは棒材供給機の材料棚４上に置かれた棒材を示す。棒材供給機の内部を点検等する場合は、取っ手３を持って開閉カバー１を持ち上げることにより、ヒンジ２を支点にして開閉カバー１を上方に開き、棒材供給機の上部を露出させることができる。
【０００４】
また、図７に示す開閉カバー５，６は、棒材供給機の上方に給材方向に沿って設けられた梁７の両側にそれぞれヒンジ８，９を介して連結される。棒材供給機の内部を点検等する場合は、各開閉カバー５，６を取っ手１０を持って持ち上げることにより、ヒンジ８，９を支点にして上方に開き、棒材供給機の上部を露出させることができる。
【発明の開示】
【発明が解決しようとする課題】
【０００５】
図６に示す開閉カバー１は、棒材供給機の片側から開けることができるが反対側から開けることができないので、反対側から作業を行うことが困難であるという問題がある。また、図７に示す開閉カバー５，６は棒材供給機の両側から開けることができるが、棒材供給機の上部中央には起立状態の開閉カバー５，６や梁７が存在しているので、点検作業等の邪魔になるという問題がある。
【０００６】
本発明は、このような問題点を解決することができる棒材供給機の開閉カバーを提供することを目的とする。
【課題を解決するための手段】
【０００７】
上記課題を解決するため、本発明は次のような構成を採用する。
【０００８】
すなわち、請求項１に係る発明は、棒材供給機の上部を給材方向（ａ）に沿って覆う開閉カバー（１２）において、開閉カバー（１２）が主カバー（１３）と、主カバー（１３）に設けられた開口部（１４）を覆う副カバー（１５）とを含んでおり、上記主カバー（１３）の給材方向（ａ）に沿った一方の側縁が第一の枢支部（１８）を介して棒材供給機のフレーム（１６）に連結され、上記副カバー（１５）の給材方向（ａ）に沿った一方の側縁が第二の枢支部（２３）を介して上記主カバー（１３）に連結されたことを特徴とする。
【０００９】
また、請求項２に係る発明は、請求項１に記載の棒材供給機の開閉カバー（１２）において、上記開口部（１４）が主カバー（１３）における第一の枢支部（１８）寄りの箇所に形成され、上記第二の枢支部（２３）が上記開口部（１４）における上記第一の枢支部（１８）と反対側に設けられたことを特徴とする。
【００１０】
また、請求項３に係る発明は、請求項１又は請求項に記載の棒材供給機の開閉カバー（１２）において、主カバー（１３）が開閉用アクチュエータ（２０）を介して上記フレーム（１６）に連結され、副カバー（１５）が開閉用アクチュエータ（２４）を介して主カバー（１３）に連結されたことを特徴とする。
【００１１】
また、請求項４に係る発明は、請求項３に記載の棒材供給機の開閉カバー（１２）において、開閉用アクチュエータ（２０，２４）が流体ダンパ装置であることを特徴とする。
【発明の効果】
【００１２】
請求項１に係る発明によれば、棒材供給機の上部を給材方向（ａ）に沿って覆う開閉カバー（１２）において、開閉カバー（１２）が主カバー（１３）と、主カバー（１３）に設けられた開口部（１４）を覆う副カバー（１５）とを含んでおり、上記主カバー（１３）の給材方向（ａ）に沿った一方の側縁が第一の枢支部（１８）を介して棒材供給機のフレーム（１６）に連結され、上記副カバー（１５）の給材方向（ａ）に沿った一方の側縁が第二の枢支部（２３）を介して上記主カバー（１３）に連結されたことから、主カバー（１３）を開けることにより棒材供給機の上部に大きい開口部（１４）を形成し、主カバー（１３）を閉じた状態で副カバー（１５）を開けることにより、主カバー（１３）の一部に開口部（１４）を形成することができ、主カバー（１３）を開けると共に副カバー（１５）を開けることにより、棒材供給機の上部により大きい開口部（１４）を形成することができ、従って、棒材供給機の上部に作業内容に応じた大きさの作業空間を確保し、作業効率を高めることができる。
【００１３】
請求項２に係る発明によれば、請求項１に記載の棒材供給機の開閉カバー（１２）において、上記開口部（１４）が主カバー（１３）における第一の枢支部（１８）寄りの箇所に形成され、上記第二の枢支部（２３）が上記開口部（１４）における上記第一の枢支部（１８）と反対側に設けられたことから、主カバー（１３）の枢支側を開口することができ、従って、主カバー（１３）の枢支側からも簡易に作業を行うことができる。
【００１４】
請求項３に係る発明によれば、請求項１又は請求項に記載の棒材供給機の開閉カバー（１２）において、主カバー（１３）が開閉用アクチュエータ（２０）を介して上記フレーム（１６）に連結され、副カバー（１５）が開閉用アクチュエータ（２４）を介して主カバー（１３）に連結されたことから、主カバー（１３）及び副カバー（１５）を簡易且つ迅速に開閉することができる。
【００１５】
請求項４に係る発明によれば、請求項３に記載の棒材供給機の開閉カバー（１２）において、開閉用アクチュエータ（２０，２４）が流体ダンパ装置であることから、主カバー（１３）又は副カバー（１５）を作業者が手で簡易に開閉操作することができる。
【発明を実施するための最良の形態】
【００１６】
以下、図面を参照して発明を実施するための最良の形態について説明する。
【００１７】
図１（Ａ）（Ｂ）に示すように、棒材供給機は加工機である旋盤１１の傍らに配置され、その上部は給材方向ａに沿って伸びる開閉カバー１２により覆われる。開閉カバー１２の下方には、棒材Ａの後端部を保持しつつ棒材Ａをその先端部から旋盤１１に送り込むための図示しない押し棒等の駆動部等が配置される。また、図２に示すように、開閉カバー１２の下方には、複数本の棒材Ａを載せておく材料棚２１が設けられる。この材料棚２１上から棒材Ａが一本ずつ押し棒の前へと送り込まれるようになっている。
【００１８】
図１及び図２に示すように、開閉カバー１２は、主カバー１３と、主カバー１３に設けられた開口部１４を覆う副カバー１５とを備える。開閉カバー１２によって棒材供給機の上側の開口全体が開閉自在に覆われている。
【００１９】
図１及び図２に示すように、主カバー１３は、棒材供給機のフレーム１６の給材方向ａに沿った左側から起立する側壁１３ａと、この側壁１３ａから開閉カバーの略中央部まで延びる天壁１３ｂとを有する。図示のごとく主カバー１３の天壁１３ｂは側壁１３ａと反対側の略半分が欠如しており、この欠如した箇所が副カバー１５で覆われる開口部１４となっている。天壁１３ｂと側壁１３ａは薄板により一体的に形成され、それらの内面にはリブ１３ｃが給材方向へ間欠的に複数個設けられる。各リブ１３ｃは側壁１３ａの内面から天壁１３ｂの内面へと伸びる。天壁１３ｂの外面には、取っ手１７が配置される。
【００２０】
図１及び図２に示すように、主カバー１３の給材方向に沿った一方の側縁が第一の枢支部１８を介して棒材供給機のフレーム１６に連結される。具体的には、主カバー１３の前後端にアーム１９が平行に固定され、両アーム１９が上記開口部１４を前後から挟むように棒材供給機のフレーム１６の給材方向ａに向って右側へと伸び、それらの伸びきった先端部がフレーム１６に支軸１８ａを介し枢着される。図２及び図３に示すように、主カバー１３は支軸１８ａを支点にして上下方向に回動可能となり、これにより棒材供給機の上部が開閉される。
【００２１】
図１乃至図３に示すように、主カバー１３は必要に応じて設けられる開閉用アクチュエータ２０を介して上記フレーム１６に連結される。開閉用アクチュエータ２０はピストン・シリンダ装置等各種シリンダ装置で構成することができるが、この実施の形態では流体ダンパ装置であるガスダンパ装置が用いられている。これにより、作業者が取っ手１７を持って軽く力を添えるだけで主カバー１３を開閉させることができる。図示例のごとく開閉用アクチュエータ２０は棒材Ａの出し入れに支障がない位置に設けられる。
【００２２】
図１（Ａ）、図２及び図４に示すように、副カバー１５は、棒材供給機のフレーム１６の給材方向ａに沿った右側から起立する側壁１５ａと、この側壁１５ａから開閉カバーの略中央部まで延びる天壁１５ｂとを有する。この副カバー１５が主カバー１３の略右半分の面積を有する開口部１４を覆う。天壁１５ｂと側壁１５ａは薄板により一体的に形成され、それらの内面にはリブ１５ｃが給材方向へ間欠的に複数個設けられる。各リブ１５ｃは側壁１５ａの内面から天壁１５ｂの内面へと伸びる。天壁１５ｂの外面には、取っ手２２が固定される。
【００２３】
図１及び図２に示すように、副カバー１５の給材方向ａに沿った一方の側縁が第二の枢支部２３を介して主カバー１３のフレーム１３ｄに連結される。主カバー１３のフレーム１３ｄは主カバー１３の中央部に給材方向ａに沿って伸び、副カバー１５の給材方向ａに沿った側縁がこのフレーム１３ｄにヒンジからなる第二の枢支部２３を介し連結される。これにより、図２及び図４に示すように、副カバー１５はヒンジの支軸２３ａを支点にして開閉カバー１２の中央の上方へと回動可能となり、棒材供給機の上部のほぼ右半分が開閉可能となる。
【００２４】
図１乃至図４に示すように、副カバー１５は必要に応じて設けられる開閉用アクチュエータ２４を介して主カバー１３のフレーム１３ｄに連結される。開閉用アクチュエータ２４は各種シリンダ装置で構成することができるが、この実施の形態では流体ダンパ装置であるガスダンパ装置が用いられている。これにより、作業者が取っ手を持って軽く力を添えるだけで副カバー１５を主カバー１３上で開閉させることができる。図示例のごとく開閉用アクチュエータ２４は棒材Ａの出し入れに支障がない位置に設けられる。図５に示すように、この副カバー１５は主カバー１３を開けた状態で、主カバー１３上において開口部１４を開けることも可能である。
【００２５】
次に、上記構成の開閉カバーの作用について説明する。
【００２６】
棒材供給機の内部について左側から作業を行う場合は、図２の状態で主カバー１３の取っ手１７を持って少しばかり持ち上げる。これにより、開閉用アクチュエータ２０であるガスダンパ装置が作動し、図３に示すように主カバー１３が支軸１８ａを支点にして上方に回動する。主カバー１３が最上位まで上昇すると、棒材供給機の上部に大きい開口が形成される。作業者はこの大きい開口を通して棒材Ａの状態、存否その他を点検したり、棒材Ａを材料棚２１上に供給したりすることができる。
【００２７】
また、棒材供給機の内部について右側から作業を行う場合は、図２の状態で副カバー１５を取っ手２２を持って少しばかり持ち上げる。これにより、開閉用アクチュエータ２４であるガスダンパ装置が作動し、図４に示すように副カバー１５がヒンジの支軸２３ａを支点にして上方に回動する。副カバー１５が最上位まで上昇すると、棒材供給機の上部の右半分に主カバー１３の開口部１４が開くことによって大きい開口が形成される。作業者はこの開口を通して棒材供給機の右側から棒材Ａの状態、存否その他を点検したり、棒材Ａを材料棚２１上に供給したりすることができる。
【００２８】
さらに、図３に示すように主カバー１３を開いたうえで、図５に示すように副カバー１５を開くことにより、棒材供給機の上部をより広く開けることができる。これにより、棒材供給機の左右両側から点検、棒材供給等の作業を行うことが可能になる。
【００２９】
なお、本発明は上記実施の形態に限定されるものではなく、本発明の趣旨の範囲内で種々変更可能である。例えば上記実施の形態では開口部及び副カバーが主カバーの片半分に設けられたが、それよりも面積を小さくしてもよいし大きくしてもよい。また、主カバー上での位置を変更することも可能である。
【図面の簡単な説明】
【００３０】
【図１】本発明に係る開閉カバーを備えた棒材供給機を示し、（Ａ）（Ｂ）は夫々その平面図、正面図である。
【図２】図１（Ａ）中、ＩＩ−ＩＩ線矢視断面図である。
【図３】主カバーを開けた状態を示す図２と同様な断面図である。
【図４】副カバーを開けた状態を示す図２と同様な断面図である。
【図５】主副両カバーを開けた状態を示す図２と同様な断面図である。
【図６】従来の開閉カバーを示す横断面図である。
【図７】従来の他の開閉カバーを示す横断面図である。
【符号の説明】
【００３１】
ａ…給材方向
１２…開閉カバー
１３…主カバー
１４…開口部
１５…副カバー
１６…棒材供給機のフレーム
１８…第一の枢支部
２０，２４…開閉用アクチュエータ
２３…第二の枢支部
【図１】
2007125639.tif 000003
【図２】
2007125639.tif 000004
【図３】
2007125639.tif 000005
【図４】
2007125639.tif 000006
【図５】
2007125639.tif 000007
【図６】
2007125639.tif 000008
【図７】
2007125639.tif 000009